(57)【要約】      （修正有）【課題】外観だけでなく表示形態も凹凸感のない表示装置を提供する。【解決手段】内蔵する表示ユニット２０の表示画面２１を露出する開口部と、この開口部を覆うように取り付けられて透明パネル５０を備えた表示装置において、表示画面２１を覆う透明パネル５０の内側の周端部に傾斜面５１を形成し、この傾斜面５１に黒色を施し、この傾斜面５１を接着面として筺体１０に取り付ける構造とする。又、前記黒色は、前記傾斜面５１と、この傾斜面５１に隣接する内面の外周である。【選択図】図１
2012047989.tif 000002
【特許請求の範囲】
【請求項１】
内蔵する表示ユニットの表示画面を露出する開口部と、この開口部を覆うように取り付けられて透明パネルを備えた表示装置において、
前記表示画面を覆う透明パネルの内側の周端部に傾斜面を形成し、
この傾斜面に黒色を施し、この傾斜面を前記開口部との接着面として前記筺体に取り付ける
ことを特徴とする表示装置。
【請求項２】
前記請求項１記載の表示装置において、
前記黒色は、前記傾斜面と、この傾斜面に隣接する内面の外周である
ことを特徴とする表示装置。
【発明の詳細な説明】
【技術分野】
【０００１】
本発明は、表示画面を含むその周囲を透明な素材で覆った表示装置に関するものである。
【背景技術】
【０００２】
従来の表示装置は、筺体に表示窓を形成し、この表示窓から表示ユニットの表示画面が露出するように形成する構造が一般的である。特に、大型テレビにおいては、枠状の前面パネルを表示ユニットの周囲に取り付ける構造のものが広く普及している。しかし、近年においては、表示ユニットの前面全体を透明な素材で覆う構造とすることで、凹凸感なくスッキリした外観形状を備えたものも提案されている。
【０００３】
例えば、この具体的な構造は、表示ユニットの表示画面を露出させる開口部と、この開口部に取り付けられる透明パネルとを備え、透明パネルは、開口部の周囲に形成される段差部に両面テープなどで取り付けられ、この両面テープを隠蔽するために透明パネルの取付部に梨地などを施した構造としている。これらの構造は、携帯電話の小型の表示装置だけでなく、大型テレビでも広く利用されている。
【先行技術文献】
【特許文献】
【０００４】
【特許文献１】特開平１１−２８９１６９号公報
【発明の概要】
【発明が解決しようとする課題】
【０００５】
前記従来例によれば、両面テープなどの取付手段を隠蔽して、透明パネルの表面を筺体の表面と連続した一体造形とすることができるので意匠性を向上させることができる。
【０００６】
しかし、透明パネルは、表示画面を覆うための強度が必要であることから、表示パネルの肉厚（厚さ）が必要である。特に、大型テレビにおいては、広い表示画面を覆うために強度を得るためにある程度の肉厚が必要である。
【０００７】
一方、表示画面とその周囲をフラットな表示パネルで覆う意味は、表示パネル全体が大きな表示画面であるように利用者に印象付ける意味もある。しかし、従来の透明パネルの厚みのある構造では、透明パネルの周囲端部が見えるために、表示画面に映る画像が透明パネルの奥にある印象を利用者に与えやすいという課題がある。つまり、従来構造では、凹凸感なくスッキリした外観形状を構築することができるものの、表示画面自体は、凹凸感のある表示形態を取らざるを得ないという課題がある。
【０００８】
そこで、この発明の目的は、外観だけでなく表示形態も凹凸感のない表示装置を提供することにある。
【課題を解決するための手段】
【０００９】
前記課題を解決するために、本発明に係る表示装置では、表示画面を覆う透明パネルの内側の周端部に傾斜面を形成し、この傾斜面に黒色を施し、この傾斜面を接着面として筺体に取り付ける構造とする。
【発明の効果】
【００１０】
この発明によれば、透明パネルの周端部を黒色で施された傾斜面とすることにより、透明パネルの厚みが認識され難いので、透明パネルの裏面側から提供される表示画面の画像が透明パネルの表面に表示される錯覚を視認する観察者に起こさせることができる。
【図面の簡単な説明】
【００１１】
【図１】本発明の概略構造を示す表示装置の概略構造図である。
【図２】本発明の１実施例に係る表示装置の部品展開図である。
【図３】本発明に係る透明パネルと従来例との比較対比図である。
【図４】本発明の他の応用例を示す透明パネルの外観図である。
【発明を実施するための形態】
【００１２】
以下、図１から図４を参照して、この発明に係る表示装置を具体的に説明する。ここで、図１から図３が第1実施例に係る表示装置を示し、図４が他の応用例に係る表示装置を示している。
【００１３】
（第１実施例）
先ず、図１を参照して、この発明に係る表示装置の概略構造を説明する。ここで、図１は、本発明の概略構造を示す表示装置の概略構造図である。
【００１４】
図１において、符号１で総括的に示すのは薄型の表示装置であり、筺体１０の内部に液晶方式やプラズマ方式などの薄型の表示ユニット２０を備えている。この実施例では、表示装置１を、表示ユニット２０を備えた薄型の筺体１０と、この筺体１０を下方で支持するスタンド３０とから構成している。このスタンド３０は着脱可能であり、他のスタンドに取り換えたり、あるいは、このスタンド３０を取り外して壁面などに筺体１０を取り付けることもできる。
【００１５】
この実施例では、４０インチ以上の大型の表示画面２１を備えた表示ユニット２０を採用し、他に、スピーカ４０や図示しないチューナー基板を筺体１０内に備えたテレビジョン受像機としている。表示ユニット２０の前面を構成する表示画面２１の前面は、１枚の透明パネル５０で覆われている。この透明パネル５０は、強化ガラスや透明樹脂材料で形成することができる。この実施例では、軽量化を図るために透明樹脂材料を採用している。
【００１６】
そして、この実施例に係る表示装置１の大きな特徴の１つは、表示画面２１を覆う透明パネル５０の内側の周端部に傾斜面５１を形成し、この傾斜面５１に黒色５２を施し、この傾斜面５１を接着面として筺体１０に取り付ける構造を採用した点にある。
【００１７】
即ち、従来の表示装置は、図３(ａ)に示すように、表示ユニット２０の表示画面２１を露出させる開口部１１ａを筺体１０ａに形成し、この開口部１１ａに透明パネル５０ａを取り付ける構造が一般的である。大型の表示ユニット２０を採用する従来の透明パネル５０ａは、厚みのある樹脂製または強化ガラスで形成される透明パネル５０ａの周囲の端部を垂直面５１ａにカットし、この透明パネル５０ａを凹状の開口部１１ａに挿入する構造を採用している。この際、透明パネル５０ａの内壁面の周囲に暗調子の塗装面１２ａを形成し、この塗装面１２ａと凹状の開口部１１ａの周囲に形成される段差部１３ａとを図示しない両面テープにて張り付ける構造を採用している。
【００１８】
このような従来構造によれば、透明パネル５０ａの周囲の端部を構成する垂直面５１ａの内壁面が反射面Ｑとなり、この反射面Ｑは、鏡面や切断面で構成されている。このため、透明パネル５０ａを介して表示画面２１を見る観察者からは、透明パネルの５０ａの周囲の端部を光の反射面Ｑとしてはっきり認識することができる。特に、透明パネル５０ａは、強度を必要することから、その厚みが大きくなるので、観察者は厚みに対応して形成される反射面Ｑをよりはっきり認識することができる。例えば、反射面Ｑを鏡面とした場合、表示画面２１を見る観察者からは、この鏡面が白く光る面として見え、また、鏡面に塗装や印刷により黒色を施した場合、表示画面２１を見る観察者からは、黒色が反射して黒く見えるようになっている。
【００１９】
この結果、観察者は、反射面Ｑの奥に形成される塗装面１２ａを備えた透明パネル５０ａの裏面Ｂを奥まった位置にあるとはっきり認識することができる。これにより、この裏面Ｂの近傍に設けられる表示画面２１を奥まった位置にあると認識することができる。したがって、従来構造では、透明パネル５０ａを採用することにより、表示画面２１の表面Ａを凹凸感なくスッキリした外観形状として構築することができるものの、表示画面２１自体は、凹凸感のある表示形態を取らざるを得ないという課題がある。
【００２０】
図１に戻り、本発明者らは、透明パネル５０の内側の周端部に傾斜面５１を形成し、この傾斜面５１に黒色５２を施すことで、透明パネル５０を介して表示画面を見る利用者に対して、傾斜面５１を反射面Ｑとして認識しづらくすることができることを着想した。しかも、従来の垂直面５０ａを傾斜面５１とすることにより、筺体１０との接着面を増やすことができる。
【００２１】
また、この傾斜面５１を採用した実施例によれば、図１（ｃ）に示すように、傾斜面５１に黒色５２の塗装を透明パネル５０の裏面側から印刷で行うことができる。なお、従来の垂直面５１ａを備えた透明パネル５０ａでは、この垂直面５１ａに黒色５２を塗装や印刷しても本発明のような効果を得ることができないが、仮に、この垂直面５１ａに黒色５２を塗装や印刷で施すのに比べても、本発明によれば、簡単に行うことができる。
【００２２】
また、この実施例に係る表示装置１の大きな特徴の他の１つは、黒色５２を施す部分を傾斜面５１から裏面Ｂ側にまたがって形成した点にある。
【００２３】
即ち、表示ユニット２０は、表示画面２１の周囲に設けられる図示しない端子やフレームにより、表示画面２１の周囲に表示できない部分が存在する。従来例では、この表示できない部分に対応する透明パネル５０ａの内壁面に塗装面１２ａを施している。
【００２４】
この実施例では、この表示できない部分が傾斜面５１より大きい場合に対応して、傾斜面５１から裏面Ｂ側にまたがるように黒色５２を施す塗装面１２を設けることができる。この実施例では、傾斜面５１から裏面Ｂ側にまたがるように黒色５２を施しても、傾斜面５１のみの場合と同様な作用効果を得ることができる。
【００２５】
以下、図２と図３を参照して、この発明に係る表示装置を更に詳細に説明する。ここで、図２は、本発明の１実施例に係る表示装置の部品展開図である。図３は、本発明と従来例との比較対比図である。
【００２６】
先ず、図２を参照して、この実施例に係る表示装置１の具体的構造を説明する。図２において、この実施例の筺体１０は、表示ユニット２０に設けられる取付部２２に、筺体１０の前部を構成するフロントパネル６０と、筺体１０の後部を構成するバックパネル７０とを図示しないネジを介して取り付ける。更に、この取付部２２に対して、スタンド３０を図示しないネジを介して着脱可能に取り付ける。
【００２７】
フロントパネル６０は、取付部２２に直接取り付けられるフロントベース６１と、このフロントベース６１に両面テープ６２を介して取り付けられる透明パネル５０とを含んで構成される。
【００２８】
フロントベース６１は、表示ユニット２０の表示画面２１を露出する開口部６３を備えた枠状の形状を備えている。そして、この開口部６３の内周端部６４には、額縁状をなす傾斜面６５が形成されている。また、この実施例では、フロントベース６１の下辺部６６が上下方向に幅広く形成され、その前面に細かな放音孔からなるスピーカ部６７（図１参照）が形成され、その裏面側にスピーカ４０が取り付けられている。
【００２９】
この実施例によれば、額縁状を成す傾斜面６４に対して、透明パネル５０の周端部に形成される傾斜面５１が嵌合する構造となる。したがって、この透明パネル５０の傾斜面５１と、フロントベース６１の額縁状の傾斜面６５とを両面テープ６２による接着面とすることができる。即ち、この実施例によれば、図３（ａ）に示す従来の段差部１３ａの面積に対して、２つの傾斜面５１と６５の面積を広くすることができるので、両部材の接着を強固に行うことができる。しかも、この傾斜面５１には黒色５２が施されているので、前面から両面テープ６２を隠蔽して意匠性を向上することができる。
【００３０】
一方、表示ユニット２０の裏面にはチューナーや制御等の制御基板１４が取り付けられ、これを覆うようにバックパネル７０が表示ユニット２０の取付部２２に取り付けられる。
【００３１】
さて、図３（ｂ）に示すように、この実施例によれば、透明パネル５０の内側の周端部に形成される傾斜面５１には黒色５２が施されているので、隣接する２つの傾斜面５１を分ける角部の稜線５３や、傾斜面５１と裏面Ｂを分離する稜線５４を見えにくくすることができる。
【００３２】
したがって、この実施例によれば、観察者が表示装置１の前方から表示画面２１を観察した場合、表示画面２１が、その周囲の連続した黒色５２で囲まれるため、表示画面２１が浮き出た印象を受けることができる。この浮き出た印象は、通電状態か否かの如何にかかわらず得ることができるが、特に、表示画面２１に画像を表示した状態では、明るい画像が周囲の連続した黒色５２の中に浮いた印象を強く与えることができる。
【００３３】
一方、観察者が表示装置１の斜め前方から表示画面２１を観察した場合、従来技術によれば、図３（ａ）に示すように、垂直面５１ａの内壁面が反射面Ｑとなって認識可能な面となるため、表示画面２１に奥行き感が生じてしまう。しかし、この実施例によれば、黒色１２を裏面に施した傾斜面５１が反射面Ｑを構成しないため、前記従来例の課題が軽減される。
【００３４】
したがって、この実施例によれば、観察者の観察方向にかかわらず、透明パネルの厚みが認識され難いので、透明パネル５０の裏面Ｂ側から提供される表示画面２１の画像が透明パネル５０の表面Ａに表示される錯覚を視覚する観察者に起こさせることができる。
【００３５】
また、通常、表示装置１の前面全体を透明パネル５０で構成しようとすると、表示装置１の外観からも透明パネル５０の厚みを印象付けるデザインとなる。しかし、この実施例に係る構造によれば、透明パネル５０の内側の周端部を傾斜面５１とすることができるので、表示装置１の前面全体を透明パネル５０で構成しても、透明パネル５０の厚みを筺体１０に埋め込むことができるから、透明パネル５０の厚みを感じさせないデザインとすることができる。したがって、この実施例によれば、表示画面２１の周囲に、分割線や凹凸などの不要な視覚ノイズが軽減された、凹凸感なくスッキリした外観形状を備え、しかも、表示画面２１自体も凹凸感のない表示形態を備えた表示装置１を提供することができる。
【００３６】
（他の応用例）
以下、図４を参照して、本発明に係る他の応用例を具体的に説明する。ここで、図４は、他の応用例に係る透明パネルの外観図であり、図４（ａ）が傾斜面のみに黒色を施した透明パネルの外観図を示し、図４（ｂ）が傾斜面の角度が４５度以上の断面図の一例を示し、図４（ｃ）が傾斜面の角度が４５度の断面図を示し、図４（ｄ）が傾斜面の角度が４５度以下の断面図の一例を示している。
【００３７】
先ず、図４（ａ）において、この実施例は、透明パネル５０の傾斜面５１のみに黒色５２を施したものである。この発明では、傾斜面５１のみに黒色５２を施しても同様な作用効果を得ることができる。
【００３８】
また、図４（ｂ）から図４（ｄ）は、傾斜面５１の傾斜の角度の変化を示したものである。図４（ｂ）は、傾斜面５１の角度Θ２が４５度以上、例えば、６０度の断面図の一例を示し、図４（ｃ）が傾斜面５１の角度Θ１が４５度の断面図を示し、図４（ｄ）が傾斜面５１の角度Θ３が４５度以下、例えば、３０度の断面図の一例を示している。
【００３９】
本発明者の実験的検証によれば、表示画面２１に正対する位置で観察した場合、表示画面２１の周囲に黒色５２が施された傾斜面５１が視認できる角度Θ１であれば、前記第１実施例と同様な作用効果を得ることができる。したがって、図４（ｂ）、図４（ｃ）、図４（ｄ）に示す角度を備えた傾斜面５１でも同様な作用効果を得ることができる。
【００４０】
しかし、この傾斜面５１に黒色５２を施したり、更には、両面テープ６２を用いた接着面として活用することを考慮すると、図４（ｃ）と図４（ｄ）に示す傾斜面５１の角度が４５度以下のものがより有効である。
【符号の説明】
【００４１】
１…表示装置、１０…筺体、１０ａ…筺体、１１ａ…開口部、１２…塗装面、１２ａ…塗装面、１３ａ…段差部、２０…表示ユニット、２１…表示画面、２２…取付部、３０…スタンド、４０…スピーカ、５０…透明パネル、５０ａ…透明パネル、５１…傾斜面、５１ａ…垂直面、５２…黒色、５３…角部の稜線、５４…稜線、６０…フロントパネル、６１…フロントベース、６２…両面テープ、６３…開口部、６４…内周端部、６５…傾斜面、６６…下辺部、６７…スピーカ部、７０…バックパネル、Ｑ…反射面、Ａ…表面、Ｂ…裏面、Θ…角度。
【図１】
2012047989.tif 000003
【図２】
2012047989.tif 000004
【図３】
2012047989.tif 000005
【図４】
2012047989.tif 000006